(57)【要約】【課題】包装面の表面と裏面とを区別せずに包装作業を行っても酸素検知を行うことができ、酸素インジケーターを取り付ける工程が簡単であり、酸素インジケーターが食品等の包装袋のラベルに隠れてしまうことを抑制することが可能な酸素インジケーター付き脱酸素剤包装体を提供する。【解決手段】酸素インジケーター付き脱酸素剤包装体１４は、表側の包装面１５と裏側の包装面１６とからなる２つの包装面を有し、２つの包装面のいずれにも帯状の酸素インジケーター２が設けられた構造となっている。そのため、表側の包装面１５と裏側の包装面１６とを区別することなく、包装作業を行っても、酸素検知が可能である。【選択図】図７
0003213434.tif 000002
【実用新案登録請求の範囲】
【請求項１】
フィルム状の包材と、包材の長手方向の中心線に沿って包材の全長に亘って帯状に設けられた酸素インジケーターと、包材を酸素インジケーターの中心線で折り返して形成される袋体に注入される脱酸素剤とを備え、脱酸素剤が注入された後に袋体の開口部が熱圧着され、包材の長手方向に対して垂直な方向の縦シールの切断位置において切断されて形成された、表側の包装面と裏側の包装面とからなる２つの包装面を有する酸素インジケーター付き脱酸素剤包装体であって、２つの包装面のいずれにも帯状の酸素インジケーターが設けられた構造となっていることを特徴とする酸素インジケーター付き脱酸素剤包装体。
【考案の詳細な説明】
【技術分野】
【０００１】
本考案は、酸素検知を包装材の両面から確認することが可能な酸素インジケーター付き脱酸素剤包装体に関する。
【背景技術】
【０００２】
食品等の保存を目的として脱酸素剤が広く用いられており、脱酸素剤は包装材によって包装され、包装材に取付けられた酸素インジケーターによって、脱酸素剤の効果が効いているか否かの検知がなされている。
【０００３】
酸素インジケーターは通常、包装材の一方の面に取付けられており、酸素インジケーターが取り付けられた面を表面として食品等の包装袋に収納される。このように収納するためには、酸素インジケーターが取り付けられた面が表面となるように作業時にチェックする必要があり、包装作業において包装材の表面と裏面とを間違えて収納すると、酸素インジケーターが外から見えない状態となり、酸素検知ができなくなる。
【０００４】
この問題を解決するために、円形状の酸素インジケーターを包装材の両面に取付けるとすると、片面取付けの場合よりも酸素インジケーターを取り付ける工程が増えるという問題が生じる。また、包装材の包装面に対する酸素インジケーターが占める面積は、脱酸素剤と包装材の機能によって定められる上限があり、円形状の酸素インジケーターを包装材の包装面に複数取り付けるにあたって、取り付け可能な個数に限度がある。そのため、酸素インジケーターが食品等の包装袋のラベルに隠れてしまう可能性があり、そうなると、酸素インジケーターを外から視認できず、酸素検知が十分にできなくなるという問題が生じる。
【０００５】
酸素検知機能付き脱酸素剤用包装体に関する技術の一例が、特許文献１に記載されている。
【先行技術文献】
【特許文献】
【０００６】
【特許文献１】特開２００９−１０７６４６号公報
【考案の概要】
【考案が解決しようとする課題】
【０００７】
本考案は、このような問題点を解決するためになされたもので、包装面の表面と裏面とを区別せずに包装作業を行っても酸素検知を行うことができ、酸素インジケーターを取り付ける工程が簡単であり、酸素インジケーターが食品等の包装袋のラベルに隠れてしまうことを抑制することが可能な酸素インジケーター付き脱酸素剤包装体を提供することを目的とする。
【課題を解決するための手段】
【０００８】
以上の課題を解決するために、本考案の酸素インジケーター付き脱酸素剤包装体は、フィルム状の包材と、包材の長手方向の中心線に沿って包材の全長に亘って帯状に設けられた酸素インジケーターと、包材を酸素インジケーターの中心線で折り返して形成される袋体に注入される脱酸素剤とを備え、脱酸素剤が注入された後に袋体の開口部が熱圧着され、包材の長手方向に対して垂直な方向の縦シールの切断位置において切断されて形成された、表側の包装面と裏側の包装面とからなる２つの包装面を有する酸素インジケーター付き脱酸素剤包装体であって、２つの包装面のいずれにも帯状の酸素インジケーターが設けられた構造となっていることを特徴とする。
【０００９】
酸素インジケーターは、包材の長手方向の中心線に沿って包材の全長に亘って帯状に設けられており、包材を酸素インジケーターの中心線で折り返して袋体を形成することにより、表側の包装面と裏側の包装面とからなる２つの包装面のいずれにも帯状の酸素インジケーターが設けられた構造となる。そのため、包装面の表面と裏面とを区別せずに包装作業を行っても酸素検知を行うことができる。
【００１０】
また、表側の包装面と裏側の包装面とからなる２つの包装面のいずれにも帯状の酸素インジケーターが設けられた構造とすることは、包材を酸素インジケーターの中心線で折り返して袋体を形成することによって行うことができ、簡単な工程によって、包装面の両面に酸素インジケーターを設けることができる。
【００１１】
また、酸素インジケーターは、包装面の表面と裏面の一辺に沿って帯状に形成されるため、円形状の酸素インジケーターを包装材の包装面に複数取り付ける場合と比較して、酸素インジケーターが食品等の包装袋のラベルに隠れてしまうことを抑制できるため、酸素インジケーターを外から視認しやすく、酸素検知を十分に行うことができる。
【考案の効果】
【００１２】
本考案によると、包装面の表面と裏面とを区別せずに包装作業を行っても酸素検知を行うことができ、酸素インジケーターを取り付ける工程が簡単であり、酸素インジケーターが食品等の包装袋のラベルに隠れてしまうことを抑制することが可能な酸素インジケーター付き脱酸素剤包装体を実現することができる。
【図面の簡単な説明】
【００１３】
【図１】加工前の包材を示す図である。
【図２】包材を酸素インジケーターの中心線に沿って折り返して、包材を折り返した状態を示す図である。
【図３】包材の縦方向について、熱源として機能するシールバーによって縦シールを形成する様子を示す図である。
【図４】袋体に対して脱酸素剤が注入される様子を示す図である。
【図５】トップシールの形成過程を示す図である。
【図６】包材のカット工程を示す図である。
【図７】酸素インジケーター付き脱酸素剤包装体の最終形態を示す図である。
【考案を実施するための形態】
【００１４】
以下に、本考案の酸素インジケーター付き脱酸素剤包装体を、その実施形態に基づいて説明する。
図１から図７に、本考案の酸素インジケーター付き脱酸素剤包装体が作製される過程を示す。
【００１５】
図１は、加工前の包材を示しており、フィルム状の包材１の長手方向の中心線に沿って、包材１の全長に亘って帯状に酸素インジケーター２が設けられている。酸素インジケーター２の中心線３が折り返し位置となる。包材１の幅は６０ｍｍ程度であり、酸素インジケーター２の幅は２０ｍｍ程度である。なお、これらの寸法は、使用される状況に応じて適宜変更できる。
【００１６】
図２は、包材１を酸素インジケーター２の中心線３に沿って折り返して、包材１を折り返した状態を示している。これによって、酸素インジケーター２は、包材１の両面に現れるようになる。
【００１７】
図３は、包材１の縦方向について、熱源として機能するシールバー４によって縦シール５を形成する様子を示している。２つの縦シール５の間の上方は開口部６となっており、これによって、２つの縦シール５によって区切られ、上方に開口部６を有する袋体７が形成されている。
【００１８】
図４は、袋体７に対して脱酸素剤が注入される様子を示しており、脱酸素剤は、脱酸素剤充填シュート８から受け９を介して、袋体７に充填される。
【００１９】
図５は、トップシール１２の形成過程を示している。
袋体７の開口部６は、予熱バー１０によって加熱されて溶かされた状態となった後、ダイロール１１によって機械的に押し付けられる。この工程によって熱圧着され、トップシール１２が形成されて、袋体７の上方が閉じられる。
【００２０】
図６は、包材１のカット工程を示しており、包材１は縦シール５の切断位置１３において、包材１の長手方向に対して垂直な方向に切断されて、袋体７が複数に分離される。
【００２１】
図７は、酸素インジケーター付き脱酸素剤包装体１４の最終形態を示す。
図１から図６に基づいて説明した作製過程により、酸素インジケーター付き脱酸素剤包装体１４が作製される。図７(ａ)は、酸素インジケーター付き脱酸素剤包装体１４の表面を示しており、酸素インジケーター付き脱酸素剤包装体１４の表側の包装面１５の一辺に沿って、酸素インジケーター２が設けられている。
【００２２】
また、図７(ｂ)は、酸素インジケーター付き脱酸素剤包装体１４の裏面を示しており、酸素インジケーター付き脱酸素剤包装体１４の裏側の包装面１６の一辺に沿って、酸素インジケーター２が設けられている。
【００２３】
このように、酸素インジケーター付き脱酸素剤包装体１４は、表側の包装面１５と裏側の包装面１６とからなる２つの包装面を有し、２つの包装面のいずれにも帯状の酸素インジケーター２が設けられた構造となっている。そのため、表側の包装面１５と裏側の包装面１６とを区別することなく、包装作業を行っても、酸素検知が可能である。
【００２４】
また、酸素インジケーター２は、表側の包装面１５と裏側の包装面１６のそれぞれの一辺に沿って帯状に設けられているため、酸素インジケーター２が包装面に占める面積を広く確保しつつ、酸素インジケーター２が食品等の包装袋のラベルに隠れてしまうことを抑制できるため、酸素インジケーター２を外から視認しやすく、酸素検知を十分に行うことができる。
【００２５】
また、上記の構造は、包材１を酸素インジケーター２の中心線３で折り返して袋体７を形成することによって行うことができ、簡単な工程によって、包装面の両面に酸素インジケーター２を設けることができる。
【産業上の利用可能性】
【００２６】
本考案は、包装面の表面と裏面とを区別せずに包装作業を行っても酸素検知を行うことができ、酸素インジケーターを取り付ける工程が簡単であり、酸素インジケーターが食品等の包装袋のラベルに隠れてしまうことを抑制することが可能な酸素インジケーター付き脱酸素剤包装体として、広く利用することができる。
【符号の説明】
【００２７】
１  包材
２  酸素インジケーター
３  中心線
４  シールバー
５  縦シール
６  開口部
７  袋体
８  脱酸素剤充填シュート
９  受け
１０  予熱バー
１１  ダイロール
１２  トップシール
１３  切断位置
１４  酸素インジケーター付き脱酸素剤包装体
１５  表側の包装面
１６  裏側の包装面
【図１】
0003213434.tif 000003
【図２】
0003213434.tif 000004
【図３】
0003213434.tif 000005
【図４】
0003213434.tif 000006
【図５】
0003213434.tif 000007
【図６】
0003213434.tif 000008
【図７】
0003213434.tif 000009